(57)【特許請求の範囲】
【請求項１】
液体化粧料等を収納することができる上部ほぼ中央外周部にねじ部が形成された口部材を有する容器本体と、この容器本体の口部材のねじ部と螺合して開口部を開閉することができる金属材製の金冠およびこの金冠内に着脱可能に取付けられた前記容器本体の口部材の上端部が入り込むことができるパッキン収納部を有する合成樹脂剤製のねじ蓋とからなるキャップと、このキャップの前記ねじ蓋のパッキン収納部に係止状態で収納されたパッキンと、使用時は前記金冠に前記ねじ蓋が係止され、前記パッキン収納部から前記パッキンを除去し分解する時に前記キャップを前記容器本体の口部材のねじ部に該口部材の上端部が前記パッキン収納部に入り込むように螺合締め付けることにより前記ねじ蓋の下端部が前記容器本体の口部材の外周部に当接して押し圧され、前記金冠とねじ蓋との係止状態を解除できる係止機構とからなることを特徴とする液体化粧料等の収納容器。
【請求項２】
液体化粧料等を収納することができる上部ほぼ中央外周部にねじ部が形成された口部材を有する容器本体と、この容器本体の口部材のねじ部と螺合して開口部を開閉することができる金属材製の金冠およびこの金冠内に着脱可能に取付けられた前記容器本体の口部材の上端部が入り込むことができるように形成されたパッキン収納部を有する合成樹脂剤製のねじ蓋とからなるキャップと、このキャップの前記ねじ蓋のパッキン収納部に係止状態で収納されたパッキンと、使用時は前記金冠に前記ねじ蓋が係止され、前記パッキン収納部から前記パッキンを除去し分解する時に前記キャップを前記容器本体の口部材のねじ部に該口部材の上端部が前記パッキン収納部に入り込むように螺合締め付けることにより前記ねじ蓋の下端部が前記容器本体の口部材の外周部に当接して押し圧され、前記金冠とねじ蓋との係止状態を解除できる係止機構とからなる液体化粧料等の収納容器において、前記係止機構は前記金冠の内壁面に形成された軸心方向の係止片および係合溝と、前記ねじ蓋の外周面部位に形成された前記係止片と係合する回転防止溝および前記係合溝と係止する係合片と、この係合片の下端部に一体形成された前記容器本体の口部材の外周部に当接することにより該係合片を撓ませ係止状態を解除することができる当接片とからなることを特徴とする液体化粧料等の収納容器。
【請求項３】
液体化粧料等を収納することができる上部ほぼ中央外周部にねじ部が形成された口部材を有する容器本体と、この容器本体の口部材のねじ部と螺合して開口部を開閉することができる金属材製の金冠およびこの金冠内に着脱可能に取付けられた前記容器本体の口部材の上端部が入り込むことができるように形成されたパッキン収納部を有する合成樹脂剤製のねじ蓋とからなるキャップと、このキャップの前記ねじ蓋のパッキン収納部に係止状態で収納されたパッキンと、使用時は前記金冠に前記ねじ蓋が係止され、前記パッキン収納部から前記パッキンを除去し分解する時は前記キャップを前記容器本体の口部材のねじ部に該口部材の上端部が前記パッキン収納部に入り込むように螺合締め付けることにより前記ねじ蓋の下端部が前記容器本体の口部材の外周部に当接して押し圧され、前記金冠とねじ蓋との係止状態を解除できる係止機構とからなる液体化粧料等の収納容器において、前記パッキンには分解時にパッキン収納部から除去することができるように形成された突片を設けるとともに前記係止機構は前記金冠の内壁面に形成された軸心方向の係止片および係合溝と、前記ねじ蓋の外周面部位に形成された前記係止片と係合する回転防止溝および前記係合溝と係止する係合片と、この係合片の下端部に一体形成された前記容器本体の口部材の外周部に当接されることにより、該係合片を撓ませ係止状態を解除することができる当接片とからなることを特徴とする液体化粧料等の収納容器。
【請求項４】
液体化粧料等を収納することができる上部ほぼ中央外周部にねじ部が形成された口部材を有する容器本体と、この容器本体の口部材のねじ部と螺合して開口部を開閉することができる金属材製の金冠およびこの金冠内に着脱可能に取付けられた合成樹脂剤製のねじ蓋とからなるキャップと、このキャップの前記ねじ蓋の内底部に係止あるいは接着固定されたパッキンと、使用時は前記金冠に前記ねじ蓋が係止され、前記ねじ蓋の内底面から前記パッキンを除去し分解する時は前記キャップを前記容器本体の口部材のねじ部に該口部材の開口部が前記パッキンが位置していた部位に入り込むように螺合締め付けることにより前記ねじ蓋の下端部が前記容器本体の口部材の外周部によって当接して押し圧され、前記金冠とねじ蓋との係止状態を解除できる係止機構とからなる液体化粧料等の収納容器において、前記パッキンは分解する時、該パッキンの前記口部材の開口部部位に当たるパッキン部位を除去することができるように形成するとともに前記係止機構は前記金冠の内壁面に形成された軸心方向の係止片および係合溝と、前記ねじ蓋の外周面部位に形成された前記係止片と係合する回転防止溝および前記係合溝と係止する係合片と、この係合片の下端部に一体形成された前記容器本体の口部材の外周部に当接されることにより該係合片を撓ませ、係止状態を解除することができる当接片とからなることを特徴とする液体化粧料等の収納容器。
【発明の詳細な説明】
【０００１】
【発明の属する技術分野】
本発明は液体化粧料等を収納するボトルやチューブ等の収納容器に関する。
【０００２】
【従来の技術】
従来、この種の容器は液体化粧料等を収納することができる容器本体と、この容器本体の口部材の外周部のねじ部と螺合して開口部を開閉することができる金属材製の金冠およびこの金冠内に接着剤等を用いて固定した合成樹脂剤製のねじ蓋とからなるキャップと、このキャップのねじ蓋内に嵌合あるいは接着剤等で固定されたパッキンとで構成されている。
【０００３】
【発明が解決しようとする課題】
従来のこの種の容器は、金属材製の金冠と合成樹脂剤製のねじ蓋とでキャップを構成したものを使用しているため、リサイクルするために分解する場合、ねじ蓋と金冠とを外すことが大変で、手数がかかり、コスト高になるという欠点があった。
【０００４】
本発明は以上のような従来の欠点に鑑み、使用時には金冠よりねじ蓋が外れるのを確実に防止することができるとともに、リサイクルする場合にはパッキンをキャップより除去し、このキャップを締め込むことにより損傷させたり、時間がかかったりすることなく、容易に金冠よりねじ蓋を外して分離することができる液体化粧料等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は液体化粧料等を収納することができる上部ほぼ中央外周部にねじ部が形成された口部材を有する容器本体と、この容器本体の口部材のねじ部と螺合して開口部を開閉することができる金属材製の金冠およびこの金冠内に着脱可能に取付けられた前記容器本体の口部材の上端部が入り込むことができるパッキン収納部を有する合成樹脂剤製のねじ蓋とからなるキャップと、このキャップの前記ねじ蓋のパッキン収納部に係止状態で収納されたパッキンと、使用時は前記金冠に前記ねじ蓋が係止され、前記パッキン収納部から前記パッキンを除去し分解する時に前記キャップを前記容器本体の口部材のねじ部に該口部材の上端部が前記パッキン収納部に入り込むように螺合締め付けることにより前記ねじ蓋の下端部が前記容器本体の口部材の外周部に当接して押し圧され、前記金冠とねじ蓋との係止状態を解除できる係止機構とで液体化粧料等の収納容器を構成している。
【０００７】
【発明の実施の形態】
以下、図面に示す実施の形態により、本発明を詳細に説明する。
【０００８】
図１ないし図４に示す本発明の第１の実施の形態において、１は化粧水や乳液等の液体化粧料２が収納されるガラス製、陶製、合成樹脂剤製等の瓶形状の容器本体で、この容器本体１の上部ほぼ中央部に形成された口部材３の外周部にはねじ部４が形成されている。
【０００９】
５は前記容器本体１の口部材３の開口部３ａを開閉することができるキャップで、このキャップ５は金属材製の金冠６と、この金冠６内に軸心方向にスライド移動可能に取付けられた内壁面に前記容器本体１の口部材３のねじ部４と螺合することができるねじ部７を有する筒状のねじ部材８、このねじ部材８内に分解時に前記口部材３の上端部が入り込むことができるように形成されたパッキン収納部９、前記ねじ部材８の外周部に隙間１０を介して形成された該ねじ部材８の長さ寸法よりも下方へ突出する筒状の係合部１１とからなるねじ蓋１２と、このねじ蓋１２の前記パッキン収納部９内に接着剤等で係止状態に固定された軟質プラスチック等の合成樹脂剤製で成形された皿状のパッキン１３と、使用時には前記ねじ蓋１２を前記金冠６内に係止し、前記パッキン収納部９から前記パッキン１３を除去し分解する時に前記キャップ５を前記容器本体１の口部材３のねじ部４に該口部材３の上端部が前記パッキン収納部９に入り込むように螺合締め付けることにより前記ねじ蓋１２の下端部が前記容器本体１の口部材３の外周部に当接して押し圧されて、前記金冠６とねじ蓋１２との係止状態を解除できる係止機構１４とで構成されている。
【００１０】
前記係止機構１４は前記金冠６の内壁面に形成された軸心方向の係止片１５および開口端寄りの部位にリング状に形成された係合溝１６と、前記ねじ蓋１２の上端寄り外壁面部位に形成された該係止片１５と係合し、使用時の該ねじ蓋１２と前記金冠６との回転を防止することができる回転防止溝１７と、前記ねじ蓋１２の係合部１１の外周面部位に形成された該係合溝１６と着脱可能に係止される複数個の係合片１８と、この係合片１８の下端部に一体形成された、分解する時に前記容器本体１の口部材３の外周部に当接され、該係合片１８を前記隙間１０側に撓ませることにより、前記係合溝１６との係止状態を解除することができる当接片１９とで構成されている。
【００１１】
上記構成の液体化粧料等の収納容器２０は、使用時には金冠６とねじ蓋１２は係止状態で固定されているため、キャップ５を口部材３のねじ部７に螺合させても、金冠６とねじ蓋１２とが一体になっており、従来と同様に使用することができる。
【００１２】
液体化粧料等の収納容器２０を分解する場合、キャップ５のねじ蓋１２のパッキン収納部９よりパッキン１３を除去する。
しかる後、図３に示すように容器本体１の口部材３のねじ部７にキャップ５を螺合させて締め付けると、ねじ蓋１２が下方へスライド移動し、ねじ蓋１２の当接片１９が口部材３の外周部に接触し、さらに締め付けるとねじ蓋１２の上部側が下方へスライド移動して係合片１８形成部位が隙間１０側に撓み、係合溝１６との係止状態が解除される。
この状態で、図４に示すように金冠６を上方へ持ち上げることにより、キャップ５の金冠６とねじ蓋１２とを分解でき、口部材３に残っているねじ蓋１２は取り外し方向に回転させることにより、容易に除去できる。
【００１３】
なお、ねじ蓋１２の複数個の係合片１８形成部位には係合片１８部位が隙間１０側に撓みやすいように空間部２１が形成されているが、この空間部２１は形成されなくてもよく、この場合、係合片１８はリング状に形成され、係合片１８形成部位が楕円形状に形成されてもよい。
また、金冠６の内壁面に軸心方向の係止片１５、ねじ蓋１２の上端外壁面に前記係止片１５と係合する回転防止溝１７が形成されているが、金冠６の内壁面に回転防止溝１７、ねじ蓋１２の上端外壁面に係止片１５を形成してもよい。
【００１４】
【発明の異なる実施の形態】
次に、図５ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図５ないし図８に示す本発明の第２の実施の形態において、前記本発明の第１の実施の形態と主に異なる点は、分解する時キャップ５から除去することができるように口部材３の開口部３ａ側の底面部位に形成されたＵ字状の突片２２を有するリング状のパッキン１３Ａを用いた点で、このように形成されたパッキン１３Ａを用いた液体化粧料等の収納容器２０Ａにしても、前記本発明の第１の実施の形態と同様な作用効果が得られる。
この場合、突片２２はキャップ５から除去することができるように形成された三角形状や四角形状等でもよい。
【００１６】
図９ないし図１１に示す本発明の第３の実施の形態において、前記本発明の第１の実施の形態と主に異なる点は、ほぼ中央部がねじ蓋１２のパッキン収納部９に接着剤等で固定された発泡ポリウレタン等で形成されたシート状の固定部材２３、この固定部材２３の外周部にミシン目２４を介して一体形成されたパッキン本体２５とで構成されたパッキン１３Ｂを用いた点で、このように形成されたパッキン１３Ｂは分解時にパッキン１３Ｂのパッキン本体２５を容易に除去できるため前記本発明の第１の実施の形態と同様な作用効果が得られる液体化粧料等の収納容器２０Ｂにできる。
【００１７】
図１２ないし図１５に示す本発明の第４の実施の形態において、前記本発明の第３の実施の形態と主に異なる点は、パッキン本体２５Ａの底面に断面Ｌ字状の突片２２Ａを形成した点で、このように形成されたパッキン１３Ｃを用いた液体化粧料等の収納容器２０Ｃにしても、前記本発明の第３の実施の形態と同様な作用効果が得られる。
【００１８】
図１６に示す本発明の第５の実施の形態において、前記本発明の第３の実施の形態と主に異なる点は、キャップ５のねじ蓋１２の内底面にパッキン１３Ｂを接着固定した点で、このように形成された液体化粧料等の収納容器２０Ｄにしても、前記本発明の第３の実施の形態と同様な作用効果が得られる。
【００１９】
図１７ないし図２１に示す本発明の第６の実施の形態において、前記本発明の第１の実施の形態と主に異なる点は、パッキン収納部９Ａの内周壁にねじ溝２６が形成されたねじ蓋１２Ａと、前記パッキン収納部９Ａのねじ溝２６と螺合するように外周部に形成されたねじ部２７および分解する時には前記パッキン収納部９Ａ内より取外すことができるように口部材３の開口部３側の底面部位に形成された取外し溝２８を有するパッキン１３Ｄとを用いた点で、このように形成された液体化粧料等の収納容器２０Ｅにしても、ドライバ等の着脱具を用いて前記パッキン１３Ｄをパッキン収納部９Ａ内に装着したり、分解する時には容易に取外すことができるので、前記本発明の第１の実施の形態と同様な作用効果が得られる。
なお、前記本発明の各実施の形態では、取外し溝は一文字状のものについて説明したが、本発明はこれに限らず、十文字状等の取外し溝でもよい。
【００２０】
なお、前記本発明の各実施の形態では瓶形状の容器本体１を用いたものについて説明したが、本発明はこれに限らず、外周部にねじ部が形成された口部材を有するチューブ形状の容器本体でもよく、従来から一般に使用されている瓶あるいはチューブ形状の容器にも本発明を施すことができる。
【００２１】
また、前記本発明の各実施の形態では容器本体１に化粧水や乳液等の液体化粧料２を収納するものについて説明したが、本発明はこれに限らず、化粧品以外の液体やゼリー状、粒体等の流体を収納してもよい。
【００２２】
さらに、前記本発明の異なる実施の形態では主に第１の実施の形態を基にして説明したが、本発明はこれに限らず、各実施の形態に使用された部品も組み合わせて使用しても同様な作用効果が得られる。
【００２３】
【発明の効果】
以上の説明から明らかなように、本発明にあっては次に列挙する効果が得られる。
【００２４】
（１）液体化粧料等を収納することができる上部ほぼ中央外周部にねじ部が形成された口部材を有する容器本体と、この容器本体の口部材のねじ部と螺合して開口部を開閉することができる金属材製の金冠およびこの金冠内に着脱可能に取付けられた前記容器本体の口部材の上端部が入り込むことができるパッキン収納部を有する合成樹脂剤製のねじ蓋とからなるキャップと、このキャップの前記ねじ蓋のパッキン収納部に係止状態で収納されたパッキンと、使用時は前記金冠に前記ねじ蓋が係止され、前記パッキン収納部から前記パッキンを除去し分解する時に前記キャップを前記容器本体の口部材のねじ部に該口部材の上端部が前記パッキン収納部に入り込むように螺合締め付けることにより前記ねじ蓋の下端部が前記容器本体の口部材の外周部に当接して押し圧され、前記金冠とねじ蓋との係止状態を解除できる係止機構とで構成されているので、使用時には金冠とねじ蓋とが外れることなく、従来と同様に使用することができるとともに、リサイクルする場合にはキャップに取付けられているパッキンを除去してキャップをすることにより、係止機構によって金冠に係止されているねじ蓋の係止状態を解除することができる。
したがって、金冠をねじ蓋より損傷せずに、容易に取り外して分離することができる。
よって、キャップを材質ごとに分別することにより、再使用あるいは再利用することができる。
【００２５】
（２）前記（１）によって、外から見た状態では従来と同様な形状になっているので、いたずらや、誤って金冠とねじ蓋とが外れたりするのを確実に防止することができる。
したがって、安全に使用することができる。
【００２６】
（３）前記（１）によって、パッキンを取り外してキャップを容器本体に締め付けるだけでよいので、その作業が容易で、短時間に行なうことができ、リサイクルのコストの低減を図ることができる。
【００２７】
（４）請求項２、３、４も前記（１）〜（３）と同様な効果が得られる。
【図面の簡単な説明】
【図１】本発明の第１の実施の形態の断面図。
【図２】本発明の第１の実施の形態のキャップの説明図。
【図３】パッキンを取り外してキャップを締め付けた状態の要部拡大断面図。
【図４】金冠とねじ蓋の取り外し状態の要部拡大断面図。
【図５】本発明の第２の実施の形態の断面図。
【図６】本発明の第２の実施の形態のパッキンの底面図。
【図７】本発明の第２の実施の形態のパッキンの正面図。
【図８】本発明の第２の実施の形態のパッキンの平面図。
【図９】本発明の第３の実施の形態の断面図。
【図１０】パッキンを取り外してキャップを締め付けた状態の要部拡大断面図。
【図１１】本発明の第３の実施の形態のパッキンの説明図。
【図１２】本発明の第４の実施の形態の断面図。
【図１３】本発明の第４の実施の形態のパッキンの平面図。
【図１４】本発明の第４の実施の形態のパッキンの正面図。
【図１５】本発明の第４の実施の形態のパッキンの底面図。
【図１６】本発明の第５の実施の形態の断面図。
【図１７】本発明の第６の実施の形態の断面図。
【図１８】パッキンを取り外した状態の要部拡大断面図。
【図１９】本発明の第６の実施の形態のパッキンの平面図。
【図２０】図１９の２０−２０線に沿う断面図。
【図２１】本発明の第６の実施の形態のパッキンの底面図。
【符号の説明】
１：容器本体、          ２：液体化粧料、
３：口部材、            ４：ねじ部、
５：キャップ、          ６：金冠、
７：ねじ部、            ８：ねじ部材、
９、９Ａ：パッキン収納部、
１０：隙間、            １１：係合部、
１２、１２Ａ：ねじ蓋、  １３、１３Ａ〜１３Ｄ：パッキン、
１４：係止機構、        １５：係止片、
１６：係合溝、          １７：回転防止溝、
１８：係合片、          １９：当接片、
２０、２０Ａ〜２０Ｅ：液体化粧料等の収納容器、
２１：空間部、          ２２、２２Ａ：突片、
２３：固定部材、        ２４：ミシン目、
２５、２５Ａ：パッキン本体、
２６：ねじ溝、          ２７：ねじ部、
２８：取外し溝。
【図１】
0004066284.tif 000002
【図２】
0004066284.tif 000003
【図３】
0004066284.tif 000004
【図４】
0004066284.tif 000005
【図５】
0004066284.tif 000006
【図６】
0004066284.tif 000007
【図７】
0004066284.tif 000008
【図８】
0004066284.tif 000009
【図９】
0004066284.tif 000010
【図１０】
0004066284.tif 000011
【図１１】
0004066284.tif 000012
【図１２】
0004066284.tif 000013
【図１３】
0004066284.tif 000014
【図１４】
0004066284.tif 000015
【図１５】
0004066284.tif 000016
【図１６】
0004066284.tif 000017
【図１７】
0004066284.tif 000018
【図１８】
0004066284.tif 000019
【図１９】
0004066284.tif 000020
【図２０】
0004066284.tif 000021
【図２１】
0004066284.tif 000022